【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
複数の光源と、
前記複数の光源の各々に電流を供給する複数の電流供給手段と、
前記複数の光源の電圧降下の値に応じて前記複数の光源に接続される電源の出力電圧を制御する電源制御手段と、
前記複数の光源の電圧降下の値の差分に応じて、前記電流供給手段が前記各光源へ供給する電流量を制御する電流制御手段と、
を備える照明装置。
【請求項２】
前記電流制御手段は、前記複数の光源の電圧降下の最小値と最大値との差分が閾値より小さくなるように前記電流供給手段が前記各光源へ供給する電流量を制御する
ことを特徴とする請求項１に記載の照明装置。
【請求項３】
前記電流制御手段は、電圧降下が前記最大値に対し閾値以上小さい光源に供給する電流量を増やす請求項２に記載の照明装置。
【請求項４】
前記電流制御手段は、電圧降下が前記最大値に対し閾値以上小さい光源に供給する電流量を、前記複数の光源の電圧降下の最小値と最大値との差分が閾値より小さくなる範囲内で光源の発光効率が最も高くなる電流量とする請求項３に記載の照明装置。
【請求項５】
前記各光源の点灯期間と消灯期間を制御する点灯制御手段を更に備え、
前記点灯制御手段は、前記電流制御手段の前記制御により電流量が増える光源の点灯期間を短くする請求項３又は４に記載の照明装置。
【請求項６】
前記電源制御手段は、前記電流供給手段を動作させるために必要な電圧と前記電圧降下の最大値との和を前記電源の出力電圧とする請求項１〜５のいずれか１項に記載の照明装置。
【請求項７】
前記各光源の発光量を決定し、発光量に応じて前記各光源に供給する電流量と前記各光源の点灯期間とを決定する決定手段と、
前記光源に供給する電流量と電圧降下の関係に基づき、前記決定手段により決定される
電流量に応じた前記各光源の電圧降下を取得する取得手段と、
を更に備え、
前記電流制御手段は、前記取得手段により取得される前記複数の光源の電圧降下の最小値と最大値との差分が閾値以上の場合、電圧降下が前記最大値に対し閾値以上小さい光源について前記決定手段が決定した電流量を増やす請求項１〜６のいずれか１項に記載の照明装置。
【請求項８】
前記各光源の電圧降下を検出する検出手段を更に備え、
前記取得手段は、前記検出手段により前記各光源の電圧降下を取得する請求項７に記載の照明装置。
【請求項９】
前記取得手段は、前記各光源に基準の電流を供給したときに前記検出手段により検出された電圧降下と、前記光源に供給する電流量と電圧降下の関係と、前記決定手段により決定される電流量と、に基づき、前記各光源の電圧降下を算出する請求項８に記載の照明装置。
【請求項１０】
前記電源制御手段は、前記電流供給手段を動作させるために必要な電圧と前記検出手段により検出される前記複数の光源の電圧降下の最大値との和を前記電源の出力電圧とする請求項８又は９に記載の照明装置。
【請求項１１】
画像信号を入力する入力手段を更に備え、
前記決定手段は、画像信号に応じて前記各光源の発光量を決定する請求項７〜１０のいずれか１項に記載の照明装置。
【請求項１２】
前記照明装置は、複数の発光領域から構成され、
前記複数の光源の各々は前記複数の発光領域の各々に対応しており、
前記決定手段は、前記各発光領域に対応する領域の画像の特徴量に基づき前記各発光領域に対応する光源の発光量を決定する請求項１１に記載の照明装置。
【請求項１３】
前記電流制御手段は、前記取得手段により取得される前記複数の光源の電圧降下の最小値と最大値との差分が閾値以上となる期間において、電圧降下が前記最大値に対し閾値以上小さい光源について前記決定手段が決定した電流量を増やす請求項７〜１２のいずれか１項に記載の照明装置。
【請求項１４】
前記決定手段は、入力される画像信号のフレーム期間毎に前記各光源の発光量を決定し、
前記電流制御手段は、前記取得手段により取得される前記複数の光源の電圧降下の最小値と最大値との差分が閾値以上となるフレーム期間において、電圧降下が前記最大値に対し閾値以上小さい光源について前記決定手段が決定した電流量を増やす請求項７〜１２のいずれか１項に記載の照明装置。
【請求項１５】
前記複数の光源のうち２つ以上の光源でフレーム期間の開始タイミングは異なっており、
前記電流制御手段は、電圧降下が前記最大値に対し閾値以上小さい光源のうち、その点灯期間と、前記取得手段により取得される前記複数の光源の電圧降下の最小値と最大値との差分が閾値以上となる期間とが、少なくとも一部において重なる光源について、当該点灯期間が含まれるフレーム期間において、前記電流量を増やす制御を行う請求項１４に記載の照明装置。
【請求項１６】
前記光源はＬＥＤである請求項１〜１５のいずれか１項に記載の照明装置。
【請求項１７】
前記各電流供給手段は、前記各光源に一定の電流を供給する定電流回路である請求項１〜１６のいずれか１項に記載の照明装置。
【請求項１８】
請求項１〜１７のいずれか１項に記載の照明装置をバックライトとして備える画像表示装置。
【請求項１９】
複数の光源と、
前記複数の光源の各々に電流を供給する複数の電流供給手段と、
前記複数の光源に接続される電源と、
を備える照明装置の制御方法であって、
前記複数の光源の電圧降下の値に応じて前記電源の出力電圧を制御する電源制御工程と、
前記複数の光源の電圧降下の値の差分に応じて、前記電流供給手段が前記各光源へ供給する電流量を制御する電流制御工程と、
を備える照明装置の制御方法。
【請求項２０】
前記電流制御工程では、前記複数の光源の電圧降下の最小値と最大値との差分が閾値より小さくなるように前記電流供給手段が前記各光源へ供給する電流量が制御される
ことを特徴とする請求項１９に記載の照明装置の制御方法。
【請求項２１】
前記電流制御工程では、電圧降下が前記最大値に対し閾値以上小さい光源に供給する電流量を増やす請求項２０に記載の照明装置の制御方法。
【請求項２２】
前記電流制御工程では、電圧降下が前記最大値に対し閾値以上小さい光源に供給する電流量を、前記複数の光源の電圧降下の最小値と最大値との差分が閾値より小さくなる範囲内で光源の発光効率が最も高くなる電流量とする請求項２１に記載の照明装置の制御方法。
【請求項２３】
前記各光源の点灯期間と消灯期間を制御する点灯制御工程を更に有し、
前記点灯制御工程では、前記電流制御工程での前記制御により電流量が増える光源の点灯期間を短くする請求項２１又は２２に記載の照明装置の制御方法。
【請求項２４】
前記電源制御工程では、前記電流供給手段を動作させるために必要な電圧と前記電圧降下の最大値との和を前記電源の出力電圧とする請求項１９〜２３のいずれか１項に記載の照明装置の制御方法。
【請求項２５】
前記各光源の発光量を決定し、発光量に応じて前記各光源に供給する電流量と前記各光源の点灯期間とを決定する決定工程と、
前記光源に供給する電流量と電圧降下の関係に基づき、前記決定工程で決定される電流量に応じた前記各光源の電圧降下を取得する取得工程と、
を更に備え、
前記電流制御工程では、前記取得工程で取得される前記複数の光源の電圧降下の最小値と最大値との差分が閾値以上の場合、電圧降下が前記最大値に対し閾値以上小さい光源について前記決定工程で決定した電流量を増やす請求項１９〜２４のいずれか１項に記載の照明装置の制御方法。
【請求項２６】
前記照明装置は、前記各光源の電圧降下を検出する検出手段を更に備え、
前記取得工程では、前記検出手段により前記各光源の電圧降下を取得する請求項２５に記載の照明装置の制御方法。
【請求項２７】
前記取得工程では、前記各光源に基準の電流を供給したときに前記検出手段により検出された電圧降下と、前記光源に供給する電流量と電圧降下の関係と、前記決定工程で決定される電流量と、に基づき、前記各光源の電圧降下を算出する請求項２６に記載の照明装置の制御方法。
【請求項２８】
前記電源制御工程では、前記電流供給手段を動作させるために必要な電圧と前記検出手段により検出される前記複数の光源の電圧降下の最大値との和を前記電源の出力電圧とする請求項２６又は２７に記載の照明装置の制御方法。
【請求項２９】
画像信号を入力する入力工程を更に有し、
前記決定工程では、画像信号に応じて前記各光源の発光量を決定する請求項２５〜２８のいずれか１項に記載の照明装置の制御方法。
【請求項３０】
前記照明装置は、複数の発光領域から構成され、
前記複数の光源の各々は前記複数の発光領域の各々に対応しており、
前記決定工程では、前記各発光領域に対応する領域の画像の特徴量に基づき前記各発光領域に対応する光源の発光量を決定する請求項２９に記載の照明装置の制御方法。
【請求項３１】
前記電流制御工程では、前記取得工程で取得される前記複数の光源の電圧降下の最小値と最大値との差分が閾値以上となる期間において、電圧降下が前記最大値に対し閾値以上小さい光源について前記決定工程で決定した電流量を増やす請求項２５〜３０のいずれか１項に記載の照明装置の制御方法。
【請求項３２】
前記決定工程では、入力される画像信号のフレーム期間毎に前記各光源の発光量を決定し、
前記電流制御工程では、前記取得工程で取得される前記複数の光源の電圧降下の最小値と最大値との差分が閾値以上となるフレーム期間において、電圧降下が前記最大値に対し閾値以上小さい光源について前記決定工程で決定した電流量を増やす請求項２５〜３０のいずれか１項に記載の照明装置の制御方法。
【請求項３３】
前記複数の光源のうち２つ以上の光源でフレーム期間の開始タイミングは異なっており、
前記電流制御工程では、電圧降下が前記最大値に対し閾値以上小さい光源のうち、その点灯期間と、前記取得工程で取得される前記複数の光源の電圧降下の最小値と最大値との差分が閾値以上となる期間とが、少なくとも一部において重なる光源について、当該点灯期間が含まれるフレーム期間において、前記電流量を増やす制御を行う請求項３２に記載の照明装置の制御方法。
【請求項３４】
前記光源はＬＥＤである請求項１９〜３３のいずれか１項に記載の照明装置の制御方法。
【請求項３５】
前記各電流供給手段は、前記各光源に一定の電流を供給する定電流回路である請求項１９〜３４のいずれか１項に記載の照明装置の制御方法。
【手続補正２】
【補正対象書類名】明細書
【補正対象項目名】００１４
【補正方法】変更
【補正の内容】
【００１４】
本発明は、複数の光源と、
前記複数の光源の各々に電流を供給する複数の電流供給手段と、
前記複数の光源の電圧降下の値に応じて前記複数の光源に接続される電源の出力電圧を制御する電源制御手段と、
前記複数の光源の電圧降下の値の差分に応じて、前記電流供給手段が前記各光源へ供給する電流量を制御する電流制御手段と、
を備える照明装置である。
【手続補正３】
【補正対象書類名】明細書
【補正対象項目名】００１５
【補正方法】変更
【補正の内容】
【００１５】
本発明は、複数の光源と、
前記複数の光源の各々に電流を供給する複数の電流供給手段と、
前記複数の光源に接続される電源と、
を備える照明装置の制御方法であって、
前記複数の光源の電圧降下の値に応じて前記電源の出力電圧を制御する電源制御工程と、
前記複数の光源の電圧降下の値の差分に応じて、前記電流供給手段が前記各光源へ供給する電流量を制御する電流制御工程と、
を備える照明装置の制御方法である。